【手続補正書】
【提出日】平成16年2月10日(2004.2.10)
【手続補正１】
【補正対象書類名】明細書
【補正対象項目名】全文
【補正方法】変更
【補正の内容】
【発明の名称】複層ガラス
【特許請求の範囲】
【請求項１】対向配置した複数枚のガラス板をその周縁部にスペーサを介在させてシール材によりシールし、対向するガラス板間に中間層を形成してなる複層ガラスにおいて、中間層に感覚を刺激して一時的に侵入者に不快感を与えまたは侵入者を麻痺させるガスを封入してなることを特徴とする複層ガラス。
【請求項２】対向配置した３枚以上のガラス板をその周縁部にスペーサを介在させてシール材によりシールし、対向するガラス板間に中間層を形成してなる複層ガラスにおいて、複数の中間層のうち少なくとも最も室内側に位置する中間層を除いて、最も室外側に位置する中間層を含め所定の中間層に感覚を刺激して一時的に侵入者に不快感を与えまたは侵入者を麻痺させるガスを封入してなることを特徴とする複層ガラス。
【請求項３】感覚を刺激して一時的に侵入者に不快感を与えまたは侵入者を麻痺させるガスが、催涙ガスまたは人間の臭覚器官に刺激を与える臭気ガスである請求項１または２に記載の複層ガラス。
【発明の詳細な説明】
【０００１】
【発明の属する技術分野】
本発明は防犯を確実に行い得るようにした複層ガラスに関するものである。
【０００２】
【従来の技術】
建物のドアには、ガラス板が用いられているものがあり、かかるドアでは夜間などに人がガラスに穴をあけて室内に侵入するのを防止するために、ガラス板に防犯ガラスが用いられることがある。
【０００３】
従来の防犯ガラスとしては、フィルムを介し複数枚のガラスを接着させて補強した合わせガラスや、１枚のガラスにフィルムを貼付して補強したフィルム貼りガラスなどがあり、これらのガラスの場合には、室内に侵入しようとする者がガラスに穴をあけるに要する時間が、補強の施されていないガラスに穴をあける場合に比較して長くかかり、防犯上有利である。
【０００４】
また対向配置した複数枚のガラス板をその周縁部にスペーサを介在させてシール材によりシールし、対向するガラス板間に中間層を形成して断熱性能、遮音性能を向上させた複層ガラスにおいては、侵入者は複数枚のガラス板に穴をあける必要があるため、ガラス板が１枚の場合に比較して防犯性能は高く、さらに複層ガラスのガラス板が合わせガラスやフィルム貼りガラスのように補強を施したものの場合は、防犯性能はより一層高い。
【０００５】
【発明が解決しようとする課題】
しかしながら、ガラス板にはいずれは穴があけられるため、従来の防犯ガラスや複層ガラスでは、侵入者の室内への侵入時間を遅延させるだけであり、室内居住者が不在の場合などそれほど防犯性能が高いということはいえない。
【０００６】
本発明は上述の実情に鑑み、侵入者の室内への侵入を確実に防止して防犯性能を向上させた複層ガラスを提供することを目的としてなされたものである。
【０００７】
【課題を解決するための手段】
本発明は、対向配置した複数枚のガラス板をその周縁部にスペーサを介在させてシール材によりシールし、対向するガラス板間に中間層を形成してなる複層ガラスにおいて、中間層に感覚を刺激して一時的に侵入者に不快感を与えまたは侵入者を麻痺させるガスを封入してなることを特徴とする。
【０００８】
また本発明は、対向配置した３枚以上のガラス板をその周縁部にスペーサを介在させてシール材によりシールし、対向するガラス板間に中間層を形成してなる複層ガラスにおいて、複数の中間層のうち少なくとも最も室内側に位置する中間層を除いて、最も室外側に位置する中間層を含め所定の中間層に感覚を刺激して一時的に侵入者に不快感を与えまたは侵入者を麻痺させるガスを封入してなることを特徴とする。
【０００９】
本発明では、感覚を刺激して一時的に侵入者に不快感を与えまたは侵入者を麻痺させるガスを、催涙ガスまたは人間の臭覚器官に刺激を与える臭気ガスとするのが望ましい。
【００１０】
本発明では、侵入者がガラス板に穴をあけると中間層に封入されているガスが外部へ流出し、侵入者の感覚を一時的に刺激し、侵入者に不快感を与えまたは侵入者を麻痺させる。
【００１１】
このため侵入者は室内へ侵入するのを躊躇しまたは身動きが取れず室内への侵入が不可能となり、したがって防犯性能が著しく向上する。
【００１２】
中間層が２層以上の場合は最も室内側のガラス板が誤って破壊されてもガスが室内側へ流出せず、居住者に影響を与えることはない。
【００１３】
【発明の実施の形態】
以下、本発明の実施の形態を添付図面を参照しつつ説明する。
【００１４】
図１は本発明の複層ガラスの実施の形態の一例を示す要部断面図である。
【００１５】
本実施の形態の複層ガラス１は、対向配置した２枚のガラス板２，２間の周縁部近傍にスペーサ３を介在させて中間層４を形成するとともに、ガラス板２，２間の周縁部側に、スペーサ３を外気側から遮断するよう、シール材５を充填し、シールしたものである。中間層４には、感覚を刺激して一時的に侵入者に不快感を与えまたは侵入者を麻痺させる、例えば催涙ガスなどのガスＧが封入されている。
【００１６】
泥棒等の目的で室内に侵入しようとする侵入者がガラス板２を破壊して穴をあけると、中間層４に封入されているガスＧが中間層４から外部へ流出し、侵入者は感覚を刺激されて一時的に不快感を受けまたは身体が麻痺する。
【００１７】
このため、侵入者は室内へ侵入するのを躊躇しまたは身動きが取れずに室内への侵入が不可能となって場合によってはその場で逮捕されることもあり、したがって防犯性能は著しく向上する。
【００１８】
図２は本発明の複層ガラスの実施の形態の他の例を示す要部断面図である。
【００１９】
本実施の形態の複層ガラス１は、対向配置した３枚のガラス板２，２，２間の周縁部近傍に２つのスペーサ３，３を介在させて２つの中間層４，４を形成するとともにガラス板２，２，２間の周縁部側にスペーサ３，３を外気側から遮蔽するよう、シール材５，５を充填し、シールしたものである。室外側Ｏの中間層４には感覚を一時的に刺激して侵入者に不快感を与えまたは侵入者を麻痺させる、例えば催涙ガスなどのガスＧが封入されている。なお、図中Ｉは複層ガラス１の室内側である。
【００２０】
本実施の形態例の場合にも、侵入者が室外側Ｏのガラス板２に穴をあけると、室外側Ｏの中間層４内に封入してあるガスＧが外部へ流出し、図１の実施の形態例の場合と同様、侵入者はガスＧによる刺激で一時的に不快感を受けまたは身体が麻痺する。
【００２１】
このため、侵入者は室内への侵入を躊躇しまたは身動きが取れず、室内への侵入が不可能となって直ちに逮捕されることもあり、したがってこの場合にも防犯性能は著しく向上する。
【００２２】
また、侵入者が室外側Ｏのガラス板２と中間のガラス板２に穴をあけてもガスＧは室内側Ｉへは流出せず、したがって侵入者のみがガスＧの影響を受け、室内の居住者にはなんら影響が及ばない。
【００２３】
さらに、室内の居住者が誤って室内側Ｉのガラス板２を破壊したような場合にもガスＧは室内側Ｉへ流出することはないため、室内の居住者がガスＧの影響を受けることはない。
【００２４】
なお、本発明は上述の実施の形態例に限定されるものではなく、本発明の要旨を逸脱しない範囲内で種々の変更が可能である。すなわち、本発明の実施の形態例では、ガラス板を２枚または３枚とする場合について説明したが、４枚以上としても実施可能である。
【００２５】
ガラス板を３枚以上として中間層を２層以上とする場合には、最も室内側に位置する中間層のみにガスを封入せず、それ以外の中間層にはすべてガスを封入してもよいし、最も室外側に位置する中間層のみにガスを封入するようにしてもよい。
【００２６】
中間層には、人体の感覚を刺激して一時的に侵入者に不快感を与えるまたは侵入者を麻痺させるガスに加えて、断熱性能、遮音性能を向上させるためにアルゴンガスや六フッ化硫黄などの不活性ガスを封入するようにしてもよい。
【００２７】
ガラス板としては、通常の単板のガラス板のほか、表面にフィルムが積層されたガラス板や各種の機能コーティングの施されたガラス板、強化処理の施されたガラス板、複数枚のガラス板がフィルムなどの中間膜を介して接合された合わせガラス板等種々のものが使用できる。さらに、ガラス板としてはいわゆる有機ガラスと呼ばれる透明樹脂板やこの透明樹脂板と通常のガラス板との積層体を用いることもできる。
【００２８】
スペーサとしては、複層ガラスのスペーサとして通常用いられるアルミニウムなどの金属製のスペーサを用いることも樹脂製のスペーサを用いることもできる。さらに所定の硬度のシール材を用いることによって、シール材自身をスペーサとして用いることもできる。
【００２９】
人体の感覚を刺激して一時的に侵入者に不快感を与えまたは侵入者を麻痺させるガスとしては、催涙ガスのほかに人間の臭覚器官に刺激を与える臭気ガスを用いることもできる。
【００３０】
【発明の効果】
本発明の複層ガラスにおいては、ガラス板に穴をあけても侵入者はガスの影響により室内へ侵入することができないため、防犯性能が著しく向上し、また室内の居住者にガスの影響を与える虞れが少なく好ましい、等種々の優れた効果を奏し得る。
【図面の簡単な説明】
【図１】本発明の複層ガラスの実施の形態の一例を示す要部断面図である。
【図２】本発明の複層ガラスの実施の形態の他の例を示す要部断面図である。
【符号の説明】
１：複層ガラス
２：ガラス板
３：スペーサ
４：中間層
５：シール材
Ｇ：ガス
Ｏ：室外側
Ｉ：室内側